(57)【要約】【課題】  アンテナ出力を受信装置側に接続するにあたって、誤接続を防止する。【解決手段】  本発明の受信システムは、ＴＶおよびＦＭラジオ放送を受信する受信装置４と、少なくとも１個をＴＶおよびＦＭ放送受信のための共用アンテナ１Ｄとして使用するテレビ放送受信用の複数のアンテナ１Ａ〜１Ｄと、受信装置４からのダイバーシティ切替信号またはＦＭ放送受信信号に基づいて複数のアンテナの各出力から適宜の１個を選択して受信装置４に接続するアンテナ切替装置３と、複数のアンテナの各出力端子を接続する端子を備えかつ接続された共用アンテナの位置を特定しこの特定信号をアンテナ切替装置３または受信装置４に送出するアンテナ接続検出装置２とを備える。【選択図】      図２
2005204058.tif 000002
【特許請求の範囲】
【請求項１】
ＴＶおよびＦＭラジオ放送を受信する受信装置と、
少なくとも１個をＴＶおよびＦＭ放送受信のための共用アンテナとして使用するテレビ放送受信用の複数のアンテナと、
前記受信装置からのダイバーシティ切替信号またはＦＭ放送受信信号に基づいて前記複数のアンテナの各出力から適宜の１個を選択して前記受信装置に接続するアンテナ切替装置と、
前記複数のアンテナの各出力端子を接続する端子を備えかつ接続された前記共用アンテナの位置を特定し該特定信号を前記アンテナ切替装置または前記受信装置に送出するアンテナ接続検出装置とを備えることを特徴とする、受信システム。
【請求項２】
請求項１に記載の受信システムにおいて、
前記アンテナ接続検出装置は、前記各アンテナの出力端子を該アンテナ接続検出装置に物理的に接続するアンテナ接続部と、当該アンテナ接続部の電気的状態を検出して前記共用アンテナの接続位置を特定するアンテナ接続検出回路とを備えることを特徴とする、受信システム。
【請求項３】
請求項２に記載の受信システムにおいて、
前記アンテナ接続部は、前記アンテナ接続検出装置側の入力端子を構成する複数のステレオジャックと、前記共用アンテナの出力端子を構成するステレオプラグと、前記複数のアンテナの前記共用アンテナ以外の出力端子を構成する複数のモノラルプラグとを含むことを特徴とする、受信システム。
【請求項４】
請求項２に記載の受信システムにおいて、
前記アンテナ接続部は、前記アンテナ接続検出装置側の入力端子を構成する複数のステレオジャックと、前記共用アンテナを含めた前記複数のアンテナの出力端子を構成する複数のステレオプラグと、前記複数のアンテナの受信信号を前記複数のステレオプラグに接続する複数の同軸ケーブルとを含み、前記共用アンテナとその他のアンテナとでは、前記同軸ケーブルと前記ステレオプラグ間の接続形態を異なるものとしたことを特徴とする、受信システム。
【請求項５】
請求項２に記載の受信システムにおいて、
前記アンテナ接続部は、前記アンテナ接続検出装置側の入力端子を構成する複数のモノラルジャックと、前記共用アンテナを含めた前記複数のアンテナの出力端子を構成する複数のモノラルプラグと、前記複数のアンテナの受信信号を前記複数のモノラルオプラグに接続する複数の同軸ケーブルとを含み、前記共用アンテナとその他のアンテナとでは、前記同軸ケーブルの接地形態を異なるものとしたことを特徴とする、受信システム。
【請求項６】
請求項１乃至５の何れか１項に記載の受信システムにおいて、
前記受信装置は、その受信対象がＴＶ放送およびＶＩＣＳを含むＦＭ放送であることを特徴とする、受信システム。
【発明の詳細な説明】
【技術分野】
【０００１】
本発明は、ダイバーシティ受信方式を採用した受信システムに関し、特に複数のアンテナの少なくとも一個をテレビ放送とＦＭ放送受信用の共用アンテナとする、受信システムに関する。
【背景技術】
【０００２】
車載用の受信装置として、ＦＭラジオ放送およびテレビ放送の受信機を一体化した受信装置が普及している。車載用の場合、車両の移動に伴って電波の電界強度等の受信状況が変化するので、往々にして受信状態が不安定とり、受信品質が低下する。これを防止するために、複数のアンテナからなるダイバーシティアンテナを採用し、アンテナ切替回路によって受信状態の良いアンテナを選択しその出力を受信装置に接続することにより、常に上質の受信を行えるようにした受信システムが開発されている（例えば特許文献１参照）。
【０００３】
ところがこのようなダイバーシティ方式の受信装置では、ＦＭラジオ放送、ＴＶ放送等に対応して複数のアンテナが必要であり、受信装置の構成を複雑とすると共に、製造コストをも増加させる。さらに、システム全体の小型化に対しても弊害がある。
【０００４】
このような欠点を解決するために、ＴＶ放送受信用のダイバーシティアンテナの少なくとも一本をＦＭ受信用のアンテナとして共用することによって、全体として必要なアンテナ数を減らすようにすることが提案されている（例えば、特許文献２参照）。
【０００５】
図１は、上記のような従来の車載用受信システムの構成を示す図である。図において、１００Ａ、１００Ｂ、１００ＣはＴＶ受信用のアンテナであり、１００ＤはＴＶおよびＦＭ放送受信用の共用アンテナである。アンテナ１００Ａ〜１００Ｄは、ＴＶ放送受信用のダイバーシティアンテナを構成する。１０２はアンテナ１００Ａ〜１００Ｄの出力端子が接続される入力端子１０１Ａ〜１０１Ｄを備えたアンテナ切替装置、１０３はＴＶ／ＦＭ受信装置である。
【０００６】
図１のシステムにおいてユーザがＴＶ放送の受信を選択した場合、受信装置３はダイバーシティ切替信号をアンテナ切替装置１０２に送出する。これによってアンテナ切替装置１０２は入力端子１０１Ａ〜１０１Ｄを介して入力されたアンテナ出力をスキャンし、最も受信状態の良いアンテナを選択して受信装置１０３に接続する。これによって、受信装置３では良好なＴＶ放送の受信が可能となる。なお、アンテナのスキャンは、例えば定期的に繰り返して行われる。
【０００７】
ユーザがＦＭ放送の受信を選択した場合、受信装置３はＦＭ放送選択信号をアンテナ切替装置１０２に出力する。これによってアンテナ切替装置１０２は共用アンテナ１００Ｄの出力を受信装置１０３に接続し、ＦＭ放送の受信が行われる。
【０００８】
図１の装置において、各ＴＶ用アンテナはダイバーシティ切替によって受信状態の良いアンテナが選択され受信装置３に接続されるので、各アンテナの出力端子をアンテナ切替装置１０２のいずれの入力端子に接続しても良い。ところがＦＭ放送受信の場合は、ＴＶ／ＦＭ共用アンテナ１００Ｄの出力を受信装置１０３に接続しなければならないので、アンテナ切替装置１０２は、アンテナ１００Ｄの接続位置を予め知っておく必要がある。このため、ＴＶ／ＦＭ共用アンテナ１００Ｄは、アンテナ切替装置１０２の予め決定された端子に接続される必要がある。
【０００９】
【特許文献１】特開平１０−６５５９０号公報
【００１０】
【特許文献２】特開平１０−３２５２８号公報
【発明の開示】
【発明が解決しようとする課題】
【００１１】
以上の様に、ＴＶ／ＦＭの共用アンテナを備える従来の受信システムでは、共用アンテナ１００Ｄを特定の入力端子に接続しなければならず、そのためシステムの組み立て時に、アンテナの接続に対して特別の注意が必要である。ところが、作業上の不注意により往々にして誤接続する場合が発生し、このような場合、受信システムが良好に動作せず、システムの再構成が必要となって組み立て効率を低下させる。
【００１２】
本発明はかかる点に関してなされたもので、ＴＶ／ＦＭ共用アンテナであっても、特定の位置に接続する必要の無い受信システムを提供することによって、システムの組み立て時におけるアンテナの接続作業を効率的に行えるようにしたものである。
【課題を解決するための手段】
【００１３】
本発明は、上記課題を解決するために、ＴＶおよびＦＭラジオ放送を受信する受信装置と、少なくとも１個をＴＶおよびＦＭ放送受信のための共用アンテナとして使用するＴＶ放送受信用の複数のアンテナと、前記受信装置からのダイバーシティ切替信号またはＦＭ放送受信信号に基づいて前記複数のアンテナの各出力から適宜の１個を選択して前記受信装置に接続するアンテナ切替装置と、前記複数のアンテナの各出力端子を接続する端子を備えかつ接続された共用アンテナの位置を特定し該特定信号を前記アンテナ切替装置または前記受信装置に送出するアンテナ接続検出装置とを備える受信システムを提供する。
【００１４】
前記アンテナ接続検出装置は、アンテナの出力端子をアンテナ接続検出装置に物理的に接続する、例えばプラグとジャックのようなアンテナ接続部と、このアンテナ接続部の各接続部の電気的状態を検出して共用アンテナの接続位置を特定するアンテナ接続検出回路とを含んでいる。
【００１５】
上記アンテナ接続部は、アンテナ接続検出装置側の各入力端子をステレオジャックで構成し、共用アンテナの出力端子をステレオプラグで構成すると共に、その他のアンテナの出力端子をモノラルプラグで構成することにより、実現され得る。反対に、共用アンテナの出力端子をモノラルプラグで構成し、その他のアンテナの出力端子をステレオプラグで構成しても良い。
【００１６】
上記の場合、アンテナ接続検出回路は、ステレオジャックにモノラルプラグが接続されたかあるいはステレオプラグが接続されたかを、ジャックの各端子の電気的状態の相違から検出することができる。これによって、共用アンテナの接続された位置が特定される。
【００１７】
アンテナ接続検出装置は、上記の様にして特定された共用アンテナの接続位置を示す信号を、アンテナ切替装置に出力する。受信装置からＦＭ放送の受信を選択する信号がアンテナ切替装置に送出されると、アンテナ切替装置は前記入力された共用アンテナの接続位置を示す信号によって特定された端子の出力を受信装置に接続し、ＦＭ放送の受信を行う。
【００１８】
アンテナ接続検出装置からの共用アンテナの接続位置特定信号を直接受信装置に入力する場合は、ＦＭ受信時、受信装置側から、共用アンテナの接続位置へ接続を切替えるための信号を、アンテナ切替え装置に出力することも可能である。
【００１９】
アンテナ接続部としては、アンテナの各出力端子をステレオプラグで構成し、アンテナ接続検出装置側の入力端子をステレオジャックで構成したものにおいて、アンテナの受信信号をステレオプラグに接続する同軸ケーブルのステレオプラグへの電気的接続形態を、共用アンテナの場合とその他のアンテナの場合とで相違させるようにしたものも、可能である。この場合、同軸ケーブルとステレオプラグとの端子間接続の組み合わせの違いが、アンテナ接続検出回路によって検出される。
【００２０】
あるいは、アンテナの各出力端子をモノラルプラグで構成し、アンテナ接続検出装置側の入力端子をモノラルジャックで構成したものにおいて、共用アンテナのグランド端子を直流的に接地し、その他のアンテナを高周波バイパスコンデンサを介して接地した構成としても良い。この場合、アンテナ接続検出回路において、共用アンテナとその他のアンテナとの接地形態の相違がグランドインピーダンスの相違として区別される。
【発明の効果】
【００２１】
上記本発明の装置では、複数のアンテナの出力端子をアンテナ切替装置側のいずれの入力端子に自由に接続しても、共用アンテナの接続位置を自動的に検出することができるので、それに基づいてＦＭ放送受信時のアンテナの切替が適切に行われる。そのため、アンテナを接続するにあたって、各アンテナの接続位置を気にする必要が無くなり、作業効率が大幅に向上する。
【発明を実施するための最良の形態】
【００２２】
図２は、本発明の受信システムの基本構成を示すブロック図である。図において、１Ａ、１Ｂ、１Ｃ、１ＤはＴＶ電波受信用のアンテナであるが、特にアンテナ１ＤはＴＶおよびＦＭ電波を受信するための共用アンテナとして構成されている。なお、ＴＶアンテナおよび共用アンテナの数は図示の例に限定されるものではなく、少なくとも１個の共用アンテナを含む複数のＴＶアンテナが存在すれば良い。
【００２３】
２はアンテナ接続検出装置であり、アンテナ接続部２０とアンテナ接続検出回路２１により構成されている。３はアンテナ切替装置、４はＴＶ／ＦＭ受信装置である。受信装置４はＴＶ、ＦＭ放送の他、ＶＩＣＳ（道路交通情報通信システム）を含むＦＭ放送を受信するものであっても良い。アンテナ接続部２０は、それぞれのアンテナからの受信信号をアンテナ切替回路３に導入すると共に、アンテナ接続検出回路２１にも接続されている。アンテナ接続検出回路２１は、例えばアンテナ接続部２０における各接続端子の電気的状態の相違から、共用アンテナの接続位置を特定するための回路である。アンテナ接続検出回路２１の出力は、制御信号としてアンテナ切替装置３に入力されあるいはＴＶ／ＦＭ受信装置４に入力される。
【００２４】
アンテナ接続検出回路２１の出力がアンテナ切替装置３に出力される場合は、受信装置４からダイバーシティ切替信号あるいはＦＭ放送受信選択信号が該装置３に出力され、装置３でアンテナの切替が行われる。たとえば受信装置４からダイバーシティ切替信号が出力された場合は、アンテナ切替装置３は各アンテナ出力を走査して最も受信状態の良いアンテナの出力を受信装置４に接続する。一方、受信装置４からＦＭ放送受信選択信号が出力される場合は、アンテナ接続検出回路２１の出力信号（制御信号）によって特定された接続位置の出力を受信装置４に接続する。これによって、共用アンテナの出力が受信装置４に接続され、ＦＭ放送の受信が可能となる。
【００２５】
次に、アンテナ接続検出装置２の各実施形態について説明する。
【００２６】
図３は、アンテナ接続検出装置２の第１の実施形態を示す図である。本実施形態では、アンテナ接続部２０は、共用アンテナ１Ｄの出力端子を構成する汎用のステレオプラグ１０Ｄと、ＴＶ用アンテナ１Ａ〜１Ｃの各出力端子を構成する汎用のモノラルプラグ１０Ａ〜１０Ｃと、アンテナ接続検出装置２の各入力端子を構成する汎用のステレオジャック２０Ａ〜２０Ｄとで構成される。アンテナ接続検出回路２１は、ステレオジャック２０Ａ〜２０Ｄの端子（ｂ）を定電源Ｖｃに抵抗Ｒを介して接続し、点Ｐの電圧変動をトランジスタＴｒによって検出する回路２１０として構成されている。なお、ステレオジャックおよび検出回路については、図が煩雑となることを避けるために１個のみを示すが、各入力端子に対応した数のステレオジャックおよび種別検出回路が存在することは明らかである。
【００２７】
周知の様に、ステレオプラグ１０Ｄは、３個の端子ａ、ｂ、ｃを有し、モノラルプラグ１０Ａ〜１０Ｃは、２個の端子ａ、ｃを有している。端子ｃは接地端子である。尚、ステレオプラグの端子ｂはオープン状態となっている。ステレオジャック２０Ａ〜２０Ｄは、接点（ａ）、（ｂ）および（ｃ）を有している。接点（ａ）はアンテナ切替装置３に接続され、プラグの端子ａを介して入力されるアンテナの受信信号をアンテナ切替装置３に導入する。接点（ｂ）は、上述したようにアンテナ接続検出回路２１０に接続されている。
【００２８】
図３のアンテナ接続検出装置において、ステレオジャック２０Ａ〜２０Ｄの何れかにステレオプラグ１０Ｄを接続すると、ジャックの端子（ｂ）はプラグの接地端子に接続されないので点Ｐは電位Ｖｃを維持する。ところが、ステレオジャックにモノラルプラグ１０Ａ〜１０Ｃを接続すると、ジャックの端子（ｂ）がプラグの接地端子ｃに接続され、その結果点Ｐの電位は低下する。従って、例えばトランジスタＴｒ等を利用して点Ｐの電位を観察することにより、ジャックにモノラルプラグが接続されたかあるいはステレオプラグが接続されたかを検出することができる。このため、本実施形態では、トランジスタＴｒのコレクタ出力を制御信号としてアンテナ切替装置３に導入することにより、アンテナ切替装置３が共用アンテナの位置を特定し得るように構成されている。
【００２９】
このように、図２に示す共用アンテナ１Ｄの出力端子を汎用のステレオプラグで構成し、その他のアンテナ１Ａ〜１Ｃの出力端子を汎用のモノラルプラグで構成することによって、アンテナ接続検出装置２のどの入力端子に共用アンテナ１Ｄが接続されても、検出回路出力をモニタすることにより、その接続位置を容易に検出することができる。なお、共用アンテナ１Ｄの出力端子をモノラルプラグで構成し、その他のアンテナの出力端子をステレオプラグで構成しても、同様の効果が得られることは勿論である。
【００３０】
図４は、アンテナ接続検出装置２の第２の実施形態を示す図である。本実施形態では、共用アンテナを含めた全てのアンテナの出力端子をステレオプラグ１１Ａ〜１１Ｄで構成し、アンテナ接続検出装置２の各入力端子２２Ａ〜２２Ｄをステレオジャックで構成している。しかしながら、共用アンテナとＴＶ用アンテナとを区別するために、各アンテナ接続のための同軸ケーブル５０とステレオプラグとの接続形態を相違させている。即ち、ステレオプラグは３端子で構成され、一方アンテナ接続のための同軸ケーブル５０は受信信号の出力端子と接地端子の２端子で構成されているため、その間の接続形態を共用アンテナとその他のアンテナの場合で相違させることが可能である。これによって、プラグをジャックに接続した場合の検出回路２１１出力の相違から、共用アンテナの接続位置を特定することが可能である。例えば、図３に示した検出回路２１０を利用する場合には、共用アンテナのプラグの端子ｂを端子ｃに電気的に接続する配線を施し、ＴＶ用アンテナのプラグの端子ｂはオープン状態とすれば、図３に示した例と同様の動作となる。
【００３１】
図５は、アンテナ接続検出装置２の第３の実施形態を示す図である。本実施形態では、共用アンテナを含めた全てのアンテナの出力端子をモノラルプラグ１２Ａ〜１２Ｄで構成し、アンテナ接続部２０の各入力端子をモノラルジャック２４Ａ〜２４Ｄで構成している。しかしながら、図５（ａ）に示すように、ＴＶアンテナ１Ａ〜１Ｃの接続用同軸ケーブル５１を高周波バイパスコンデンサ６０を介して接地し（高周波グランド）、ＦＭ／ＴＶ共用アンテナ１Ｄの同軸ケーブル５２を直接接地する（直流グランド）。同軸ケーブル５１、５２におけるこのような接地形態の相違を検出回路２１２によってグランドインピーダンスの相違として検出することにより、共用アンテナ１Ｄの接続位置が特定される。
【００３２】
なお、図５に示す例では、ＴＶアンテナの同軸ケーブル５１の外側導体を高周波バイパスコンデンサを介して接地し、共用アンテナの同軸ケーブル５２の外側導体を直接接地しているが、反対に共用アンテナの同軸ケーブル５２の外側導体を高周波バイパスコンデンサを介して接地し、ＴＶアンテナの同軸ケーブル５１の外側導体を直接接地する構成でも良い。いずれであっても、検出回路２１２は、同軸ケーブルのグランドインピーダンスの電気的特性の相違を検出して、共用アンテナの接続位置を特定する。また、プラグおよびジャックもモノラル用ではなく、ステレオ用のものを使用しても良いが、その場合は費用が高価となる欠点を有している。
【００３３】
図６は、本発明の第４の実施形態にかかる受信システムのブロック図である。本実施形態は、既存のアンテナ切替回路３１を利用することが可能なように構成されたアンテナ切替装置３０を備えたことを特徴としている。
【００３４】
図６において、３１は既存のアンテナ切替回路、３２はゲート回路、３３はデコード回路、さらに３４は制御回路である。ユーザが受信装置４に設けられた例えばＴＶ／ＦＭ受信切替スイッチを操作することによってＴＶ放送の受信が選択されると、受信装置４はＴＶ放送の受信識別信号を制御回路３４に出力し、デコード回路３３を起動する。これによって、受信装置４からのダイバーシティ切替信号がアンテナ切替回路３１に導入され、アンテナのダイバーシティ切替が実行される。
【００３５】
一方、ユーザによってＦＭ受信が選択されると、受信装置４はＦＭ放送の受信識別信号を制御回路３４に出力し、アンテナ接続検出回路２１より出力された共用アンテナの接続位置を特定する信号を、ゲート３２を介してアンテナ切替回路３１に送出する。これによって、アンテナ切替回路３１は共用アンテナ出力を受信装置４に出力するように接続の切替えを行う。
【００３６】
なお、図６に示すシステムにおいて、ダイバーシティ切替信号のデコードが必要でない場合は、デコード回路３３に代えてゲート回路を設け、ＴＶ放送の受信識別信号によってこのゲート回路をオープンする構成としても良い。また、図２に点線で示すように、アンテナ接続検出回路２１からの接続位置検出信号を直接受信装置４に入力し、受信装置４において、回路２１で特定された共用アンテナの接続位置にアンテナの接続を切替えるための信号を生成し、これをアンテナ切替回路３１に出力してアンテナ接続の切替を行うようにしても良い。
【図面の簡単な説明】
【００３７】
【図１】従来の受信システムの構成を示すブロック図。
【図２】本発明の受信システムの基本構成を示すブロック図。
【図３】本発明の第１の実施形態の説明に供する図。
【図４】本発明の第２の実施形態の説明に供する図。
【図５】本発明の第３の実施形態の説明に供する図。
【図６】本発明の第４の実施形態にかかる受信システムの構成を示すブロック図。
【符号の説明】
【００３８】
１Ａ〜１Ｃ…ＴＶ放送受信用アンテナ
１Ｄ…ＴＶ／ＦＭ共用アンテナ
２…アンテナ接続検出装置
３…アンテナ切替装置
４…ＴＶ／ＦＭ受信装置
１０Ａ〜１０Ｃ…モノラルプラグ
１０Ｄ…ステレオプラグ
１１Ａ〜１１Ｄ…ステレオプラグ
１２Ａ〜１２Ｄ…モノラルプラグ
２０…アンテナ接続部
２０Ａ〜２０Ｄ…ステレオジャック
２１…アンテナ接続検出回路
２２Ａ〜２２Ｄ…ステレオジャック
２４Ａ〜２４Ｄ…モノラルプラグ
２１０、２１１、２１２…検出回路
【図１】
2005204058.tif 000003
【図２】
2005204058.tif 000004
【図３】
2005204058.tif 000005
【図４】
2005204058.tif 000006
【図５】
2005204058.tif 000007
【図６】
2005204058.tif 000008